(57)【要約】      （修正有）【課題】積層コア及び巻線の冷却を十分に行うことが可能なファンモータを提供する。【解決手段】ファンモータ１０では、積層コア２４とセンターピース５０と間に形成された冷却風通路５４に、積層コア２４に設けられた複数の凸部群４４（放熱部）が配置されている。この凸部群４４は、軸方向に隣り合うコア板群４２の凸部群４４と周方向にずれるように配置されているので、この凸部群４４の軸方向間には隙間５６が形成されている。従って、ファン１８の回転に伴って冷却風通路５４に軸方向の冷却風流れが形成されたときには、この冷却風が凸部群４４の軸方向間に形成された隙間５６に流れ込み、リング部３０の内周面だけでなく、各コア板群４２の凸部群４４が冷却風にさらされる。これにより、積層コア２４の冷却風にさらされる面積を拡大し、積層コア２４及びこの積層コア２４に装着された巻線２６の冷却を十分に行うことが可能となる。【選択図】図１
2008131802.tif 000002
【特許請求の範囲】
【請求項１】
巻線が装着された積層コアを有する電機子と、
前記電機子を支持するセンターピースと、
前記センターピースに支持された回転シャフトと、
前記回転シャフトに支持されて前記電機子の径方向外側に回転可能に設けられたロータと、
前記ロータに一体回転可能に連結されたファンと、
を有して構成されたファンモータにおいて、
前記積層コアは、環状に構成されたリング部の外周面に径方向外側に向けて延びるティース部が放射状に複数設けられると共に前記リング部の内周面に径方向内側に向けて延びる凸部が放射状に複数設けられて構成されたコア板を複数有し、前記コア板の前記凸部が互いに周方向に合致されるように前記コア板を軸方向に複数重ね合わせて一組のコア板群を構成し、且つ、前記各コア板群の凸部群が互いに周方向にずれるように前記コア板群を軸方向に複数重ね合わせた構成とされ、
前記センターピースは、前記積層コアの前記各リング部によって形成された軸方向に延びる貫通孔に挿入されて前記リング部の内周面との間に軸方向に沿って冷却風通路を形成し、
前記ファンは、回転に伴って前記冷却風通路に軸方向の冷却風流れを形成するように構成されていることを特徴とするファンモータ。
【請求項２】
前記各コア板の前記ティース部の数をＮとした場合、
前記各コア板群は、軸方向に隣り合うコア板群と周方向に３６０°／Ｎの角度ずれた位置で重ね合わされていることを特徴とする請求項１に記載のファンモータ。
【請求項３】
前記各コア板の前記凸部は、前記コア板の軸中心と前記ティース部間のスロット部の中心とを結ぶ仮想線上に配置される部位を少なくとも含んで構成されていることを特徴とする請求項１又は請求項２に記載のファンモータ。
【請求項４】
前記ファンには、前記ロータと一体に連結されたファンボス部が設けられ、
前記ファンボス部には、前記ファンの回転に伴って前記冷却風流れの形成を補助するための補助ファンが設けられていることを特徴とする請求項１乃至請求項３のいずれか一項に記載のファンモータ。
【請求項５】
巻線が装着された積層コアを有する電機子と、
前記電機子を支持するセンターピースと、
前記センターピースに支持された回転シャフトと、
前記回転シャフトに支持されて前記電機子の径方向外側に回転可能に設けられたロータと、
前記ロータに一体回転可能に連結されたファンと、
を有して構成されたファンモータにおいて、
前記積層コアは、その径方向中央部に軸方向に沿って貫通形成された貫通孔を有すると共に前記貫通孔に前記センターピースが挿入されて前記センターピースの外周面との間に軸方向に沿って冷却風通路を形成するリング部を備え、且つ、前記リング部の内周面にそれぞれ前記センターピースに向けて延び互いに軸方向間に隙間を有して配置された複数の放熱部を有して構成され、
前記ファンは、回転に伴って前記冷却風通路に軸方向の冷却風流れを形成するように構成されていることを特徴とするファンモータ。
【発明の詳細な説明】
【技術分野】
【０００１】
本発明は、ファンモータに係り、特に、巻線が装着された積層コアを冷却するための構造を備えたファンモータに関する。
【背景技術】
【０００２】
従来、この種のファンモータとしては、次のものが知られている（例えば、特許文献１参照）。例えば、特許文献１に記載のファンモータには、円筒状のセンターピースが設けられており、このセンターピースの外周面には、環状の積層コアが固定されている。積層コアの内周面には、軸方向に沿って形成された凹部が周方向に複数設けられており、この凹部によって積層コアとセンターピースとの間に軸方向に連通する複数の通気孔が形成されている。そして、ファンの回転に伴って通気孔に冷却風が導入され、これに伴い積層コアが冷却されるようになっている。
【特許文献１】特開平１１−３３２２０３号公報
【発明の開示】
【発明が解決しようとする課題】
【０００３】
しかしながら、特許文献１に記載のファンモータでは、積層コアとセンターピースとの間に形成された通気孔に沿って軸方向の冷却風流れが形成されるが、通気孔の表面積に相当する分だけ積層コアが冷却風にさらされる構成であった。従って、積層コアの冷却風にさらされる面積を拡大し、積層コア及び巻線の冷却を十分に行えるようにするためには改善の余地がある。
【０００４】
本発明は、上記問題に鑑みてなされたものであって、その目的は、積層コアの冷却風にさらされる面積を拡大し、積層コア及び巻線の冷却を十分に行うことが可能なファンモータを提供することにある。
【課題を解決するための手段】
【０００５】
前記課題を解決するために、請求項１に記載のファンモータは、巻線が装着された積層コアを有する電機子と、前記電機子を支持するセンターピースと、前記センターピースに支持された回転シャフトと、前記回転シャフトに支持されて前記電機子の径方向外側に回転可能に設けられたロータと、前記ロータに一体回転可能に連結されたファンと、を有して構成されたファンモータにおいて、前記積層コアは、環状に構成されたリング部の外周面に径方向外側に向けて延びるティース部が放射状に複数設けられると共に前記リング部の内周面に径方向内側に向けて延びる凸部が放射状に複数設けられて構成されたコア板を複数有し、前記コア板の前記凸部が互いに周方向に合致されるように前記コア板を軸方向に複数重ね合わせて一組のコア板群を構成し、且つ、前記各コア板群の凸部群が互いに周方向にずれるように前記コア板群を軸方向に複数重ね合わせた構成とされ、前記センターピースは、前記積層コアの前記各リング部によって形成された軸方向に延びる貫通孔に挿入されて前記リング部の内周面との間に軸方向に沿って冷却風通路を形成し、前記ファンは、回転に伴って前記冷却風通路に軸方向の冷却風流れを形成するように構成されていることを特徴とする。
【０００６】
請求項１に記載のファンモータでは、積層コアが、複数のコア板を備えた構成とされており、この各コア板には、環状に構成されたリング部の内周面に径方向内側に向けて延びる凸部が放射状に複数設けられている。そして、積層コアは、コア板の凸部が互いに周方向に合致されるようにコア板を軸方向に複数重ね合わせて一組のコア板群を構成し、且つ、この各コア板群の凸部群が互いに周方向にずれるようにコア板群を軸方向に複数重ね合わせた構成とされている。
【０００７】
また、このようにして構成された積層コアには、各コア板のリング部によって軸方向に延びる貫通孔が形成されており、この貫通孔には、センターピースが挿入されている。そして、この貫通孔を形成するリング部の内周面とセンターピースの外周面との間には、軸方向に沿って冷却風通路が形成されている。
【０００８】
ここで、この冷却風通路には、上述のリング部の内周面から径方向内側に向けて延びる凸部群が複数配置される。しかも、この凸部群は、軸方向に隣り合うコア板群の凸部群と互いに周方向にずれるように配置されているので、この凸部群の軸方向間には隙間が形成される。従って、ファンの回転に伴って冷却風通路に軸方向の冷却風流れが形成されたときには、この冷却風が凸部群の軸方向間に形成された隙間に流れ込み、リング部の内周面だけでなく、各コア板群の凸部群が冷却風にさらされる。
【０００９】
このように、請求項１に記載のファンモータによれば、積層コアの冷却風にさらされる面積を拡大し、積層コア及びこの積層コアに装着された巻線の冷却を十分に行うことが可能となる。
【００１０】
請求項２に記載のファンモータは、請求項１に記載のファンモータにおいて、前記各コア板の前記ティース部の数をＮとした場合、前記各コア板群は、軸方向に隣り合うコア板群と周方向に３６０°／Ｎの角度ずれた位置で重ね合わされていることを特徴とする。
【００１１】
請求項２に記載のファンモータによれば、各コア板のティース部の数をＮとした場合、各コア板群は、軸方向に隣り合うコア板群と周方向に３６０°／Ｎの角度ずれた位置で重ね合わされている。従って、各コア板群を規則正しい配列で軸方向に重ね合わせることで、コア板群に設けられた凸部群の軸方向間に確実に隙間を形成することができる。これにより、積層コア及びこの積層コアに装着された巻線の冷却効果を確実に高めることができる。
【００１２】
請求項３に記載のファンモータは、請求項１又は請求項２に記載のファンモータにおいて、前記各コア板の前記凸部は、前記コア板の軸中心と前記ティース部間のスロット部の中心とを結ぶ仮想線上に配置される部位を少なくとも含んで構成されていることを特徴とする。
【００１３】
なお、この場合のスロット部の中心とは、リング部の周方向において、ティース部間の中心に位置する部位に相当する。
【００１４】
請求項３に記載のファンモータによれば、各コア板の凸部は、コア板の軸中心とスロット部の中心とを結ぶ仮想線上に配置される部位を少なくとも含んで構成されている。従って、各コア板においては、ティース部と凸部とがリング部を挟んだ両側に周方向に沿って交互に配置されるようになる。これにより、例えば、リング部が径方向に幅狭の構成とされた場合でも、隣り合うティース部間に凸部が配置されることで、隣り合うティース部間の磁束が流れる磁束流路を広く構成することができる。この結果、磁束の効率的な流れを確保することが可能となる。
【００１５】
請求項４に記載のファンモータは、請求項１乃至請求項３のいずれか一項に記載のファンモータにおいて、前記ファンには、前記ロータと一体に連結されたファンボス部が設けられ、前記ファンボス部には、前記ファンの回転に伴って前記冷却風流れの形成を補助するための補助ファンが設けられていることを特徴とする。
【００１６】
請求項４に記載のファンモータによれば、ファンの回転に伴って冷却風通路に軸方向の冷却風流れが形成されるが、このときには、ファンのファンボス部に設けられた補助ファンによって冷却風流れの形成が補助されて、冷却風通路を流れる冷却風の風量が増加される。これにより、積層コア及びこの積層コアに装着された巻線の冷却効果をより高めることが可能となる。
【００１７】
また、前記課題を解決するために、請求項５に記載のファンモータは、巻線が装着された積層コアを有する電機子と、前記電機子を支持するセンターピースと、前記センターピースに支持された回転シャフトと、前記回転シャフトに支持されて前記電機子の径方向外側に回転可能に設けられたロータと、前記ロータに一体回転可能に連結されたファンと、を有して構成されたファンモータにおいて、前記積層コアは、その径方向中央部に軸方向に沿って貫通形成された貫通孔を有すると共に前記貫通孔に前記センターピースが挿入されて前記センターピースの外周面との間に軸方向に沿って冷却風通路を形成するリング部を備え、且つ、前記リング部の内周面にそれぞれ前記センターピースに向けて延び互いに軸方向間に隙間を有して配置された複数の放熱部を有して構成され、前記ファンは、回転に伴って前記冷却風通路に軸方向の冷却風流れを形成するように構成されていることを特徴とする。
【００１８】
請求項５に記載のファンモータでは、積層コアに、その径方向中央部に軸方向に沿って貫通孔が貫通形成されており、この貫通孔には、センターピースが挿入されている。そして、この貫通孔を形成するリング部の内周面とセンターピースの外周面との間には、軸方向に沿って冷却風通路が形成されている。また、リング部の内周面には、センターピースに向けて延びる放熱部が複数配置されており、この放熱部は、互いに軸方向間に隙間を有して配置されている。従って、ファンの回転に伴って冷却風通路に軸方向の冷却風流れが形成されたときには、この冷却風が放熱部の軸方向間に形成された隙間に流れ込み、リング部の内周面だけでなく、各放熱部が冷却風にさらされる。
【００１９】
このように、請求項５に記載のファンモータによれば、積層コアの冷却風にさらされる面積を拡大し、積層コア及びこの積層コアに装着された巻線の冷却を十分に行うことが可能となる。
【発明を実施するための最良の形態】
【００２０】
はじめに、本発明の一実施形態に係るファンモータ１０の構成について説明する。
【００２１】
図１には、本発明の一実施形態に係るファンモータ１０の側面断面図が示されており、図２には、このファンモータ１０に用いられた積層コア２４の斜視図が示されている。また、図３には、この積層コア２４を構成するコア板２８の平面図が示されており、図４には、このコア板２８を積層して構成された一組のコア板群４２の斜視図が示されている。また、図５には、ファンモータ１０に備えられたファン１８の裏側から見た斜視図が示されている。
【００２２】
図１に示される本発明の一実施形態に係るファンモータ１０は、乗用自動車等の車両に搭載されたラジエータを冷却するためのものであり、車両に設けられたエンジンルーム内のラジエータの近傍位置に搭載される。このファンモータ１０は、ステータ１２と、ロータ１４と、制御回路１６と、ファン１８とを有して構成されている。
【００２３】
ステータ１２は、環状の電機子２０と、円盤状のステータハウジング２２とを有して構成されている。電機子２０は、積層コア２４にインシュレータ等を介して巻線２６が装着された構成とされている。この電機子２０に備えられた積層コア２４は、図２に示されるように、複数のコア板２８が軸方向に積層された構成とされている。
【００２４】
各コア板２８は、図３に示されるように、環状に構成されたリング部３０を備えており、このリング部３０の外周面には、径方向外側に向けて延びるティース部３２が放射状に複数設けられている。本実施形態では、ティース部３２は、各コア板２８に１２本ずつ設けられている。また、リング部３０の内周面には、径方向内側に向けて延びる凸部３４が放射状に複数（４本）設けられている。また、このコア板２８の軸中心３６とティース部３２間に設けられたスロット部３８の中心４０とを結ぶ線を仮想線Ｌとした場合、この凸部３４は、そのリング部３０の径方向に延びる中心線が仮想線Ｌと一致するように配置されている。
【００２５】
そして、このコア板２８を複数有して構成された積層コア２４は、次の如く製造されて構成されている。すなわち、図４に示されるように、コア板２８の凸部３４が互いに周方向に合致されるようにコア板２８を軸方向に複数（本実施形態では３枚）重ね合わせて一組のコア板群４２を構成し、且つ、図２に示されるように、この各コア板群４２の凸部群４４が互いに周方向にずれるようにコア板群４２を軸方向に複数重ね合わせる。
【００２６】
このとき、各コア板群４２を、軸方向に隣り合うコア板群４２と周方向に３６０°／Ｎ（各コア板２８のティース部３２の数）の角度ずれた位置で重ね合わせる。つまり、本実施形態では、各コア板２８のティース部３２の数がＮ＝１２であるので、各コア板群４２を、軸方向に隣り合うコア板群４２と周方向に３６０°／１２＝３０°の角度ずれた位置で重ね合わせる。積層コア２４は、このようにして構成されている。なお、この積層コア２４において、各コア板群４２の凸部群４４は、後に詳述するように、放熱部として機能するものである。
【００２７】
図１に示されるように、ステータハウジング２２は、円盤状のハウジング本体部４６を有して構成されており、このハウジング本体部４６の中央部から径方向外側に離れた位置には、板厚方向に貫通する冷却孔４８が形成されている。また、ハウジング本体部４６の中央部には、筒状のセンターピース５０が設けられており、このセンターピース５０は、積層コア２４の各リング部３０によって形成された貫通孔５２に挿入されている。そして、上述の積層コア２４の貫通孔５２内に突出する各凸部群４４がセンターピース５０に圧入されることで、ステータハウジング２２に電機子２０が一体的に組み付けられている。
【００２８】
また、このようにしてステータハウジング２２に電機子２０が一体的に組み付けられた状態では、積層コア２４のリング部３０の内周面とセンターピース５０の外周面との間が軸方向に沿って延びる冷却風通路５４として構成されている。また、この冷却風通路５４には、リング部３０の内周面から径方向内側に向けて延びる上述の凸部群４４が複数配置されている。さらに、この凸部群４４は、軸方向に隣り合うコア板群４２の凸部群４４と互いに周方向にずれるように配置されているので、この凸部群４４の軸方向間には隙間５６が形成されている（詳細は図２参照）。
【００２９】
また、上述のセンターピース５０の内側には、一対の軸受部材５８が収容されており、この軸受部材５８は、回転シャフト６０を回転自在に支持している。回転シャフト６０の長手方向一方側は、センターピース５０の底部に形成された孔部６２からセンターピース５０の外部へ突出されており、この回転シャフト６０の突出端には、ロータ１４に設けられたロータハウジング６４の中央部に固定されている。
【００３０】
ロータ１４は、有底筒状のロータハウジング６４を有して構成されており、このロータハウジング６４の円筒部６６の内周面には、ロータマグネット６８が固着されている。ロータマグネット６８は、上述の電機子２０に設けられた積層コア２４と径方向に対向して配置されている。また、ロータハウジング６４の底部７０には、中央部から径方向外側に離れた位置に板厚方向に貫通する冷却孔７２が形成されている。
【００３１】
制御回路１６は、ステータハウジング２２に一体的に設けられており、上述の電機子２０に設けられた巻線２６と電気的に接続されている。そして、この制御回路１６は、図示しない外部制御装置から出力された制御信号に応じて上述の電機子２０に設けられた巻線２６に電流を順次流すように構成されている。
【００３２】
ファン１８は、ロータハウジング６４に一体的に連結されたファンボス部７４を備えている。ファンボス部７４は、有底円筒状に構成されており、このファンボス部７４の筒状部７６の外周面には、放射状に複数のブレード７８が設けられている。このブレード７８は、ファン１８の回転に伴って、矢印Ａで示されるように、ファンモータ１０の軸方向一方側（Ｚ１側）から軸方向他方側（Ｚ２側）に流れる冷却風流れを形成するように構成されている。
【００３３】
また、ファンボス部７４の内側には、放射状に複数の補助ファン８０が設けられている。この補助ファン８０は、ファンボス部７４の底部８２から筒状部７６に連続して形成されている。また、補助ファン８０は、ファン１８の回転に伴って、矢印Ｃで示されるように、冷却孔７２からロータハウジング６４外に排出された冷却風がファンボス部７４の内側とロータハウジング６４の外側との間に沿ってファンモータ１０の軸方向一方側（Ｚ１側）からファンモータ１０の軸方向他方側（Ｚ２側）に吐き出される冷却風流れを形成するように構成されている。
【００３４】
次に、本発明の一実施形態に係るファンモータ１０の作用について説明する。
【００３５】
上記構成のファンモータ１０において、電機子２０からロータマグネット６８に対して回転磁界が付与されると、ロータ１４が回転し、これによりロータ１４と共にファン１８が一体的に回転する。ファン１８が回転すると、矢印Ａで示される如く、ファンモータ１０の軸方向一方側（Ｚ１側）から軸方向他方側（Ｚ２側）に流れる冷却風流れが形成される。
【００３６】
ここで、このようにして矢印Ａで示される如く冷却風流れが形成されると、ファンモータ１０の軸方向他方側（Ｚ２側）は正圧となり、ファンモータ１０の軸方向一方側（Ｚ１側）は負圧となる。従って、ファンモータ１０の内部には、矢印Ｂで示される如く、ファンモータ１０の軸方向他方側（Ｚ２側）から冷却孔４８を介してロータハウジング６４内に吸入された後にロータハウジング６４内を通過して冷却孔７２からロータハウジング６４外に排出される冷却風流れが形成される。
【００３７】
また、ファンボス部７４の内側に放射状に設けられた補助ファン８０によって、矢印Ｃで示されるように、冷却孔７２からロータハウジング６４外に排出された冷却風がファンボス部７４の内側とロータハウジング６４の外側との間に沿ってファンモータ１０の軸方向一方側（Ｚ１側）からファンモータ１０の軸方向他方側（Ｚ２側）に吐き出される冷却風流れが形成される。これにより、上述の矢印Ｂで示される冷却風流れの形成が補助されて、この冷却風流れの量が増大される。また、このとき、冷却孔４８からロータハウジング６４内に吸入された冷却風は、積層コア２４の中央部に軸方向に沿って貫通された冷却風通路５４と、各ティース部３２間のスロット部３８を通過して、冷却孔７２からロータハウジング６４外に排出される。
【００３８】
ここで、本発明の一実施形態に係るファンモータ１０では、上述の冷却風通路５４に、積層コア２４に設けられた複数の凸部群（放熱部）４４が配置されている。しかも、この凸部群４４は、軸方向に隣り合うコア板群４２の凸部群４４と互いに周方向にずれるように配置されているので、この凸部群４４の軸方向間には隙間５６が形成されている。従って、ファン１８の回転に伴って冷却風通路５４に軸方向の冷却風流れが形成されたときには、この冷却風が凸部群４４の軸方向間に形成された隙間５６に流れ込み、リング部３０の内周面だけでなく、各コア板群４２の凸部群４４が冷却風にさらされる。
【００３９】
このように、本発明の一実施形態に係るファンモータ１０によれば、積層コア２４の冷却風にさらされる面積を拡大し、積層コア２４及びこの積層コア２４に装着された巻線２６の冷却を十分に行うことが可能となる。
【００４０】
また、本発明の一実施形態に係るファンモータ１０によれば、各コア板２８のティース部３２の数をＮとした場合、各コア板群４２は、軸方向に隣り合うコア板群４２と周方向に３６０°／Ｎの角度ずれた位置で重ね合わされている。従って、各コア板群４２を規則正しい配列で軸方向に重ね合わせることで、コア板群４２に設けられた凸部群４４の軸方向間に確実に隙間５６を形成することができる。これにより、積層コア２４及びこの積層コア２４に装着された巻線２６の冷却効果を確実に高めることができる。
【００４１】
また、本発明の一実施形態に係るファンモータ１０によれば、ファン１８の回転に伴って冷却風通路５４に軸方向の冷却風流れが形成されるが、このときには、ファン１８のファンボス部７４に設けられた補助ファン８０によって冷却風流れの形成が補助されて、冷却風通路５４を流れる冷却風の風量が増加される。これにより、積層コア２４及びこの積層コア２４に装着された巻線２６の冷却効果をより高めることが可能となる。
【００４２】
また、本発明の一実施形態に係るファンモータ１０によれば、凸部３４は、その中心線がコア板２８の軸中心３６とスロット部３８の中心４０とを結ぶ仮想線Ｌと一致するように配置されている。従って、各コア板２８においては、ティース部３２と凸部３４とがリング部３０を挟んだ両側に周方向に沿って交互に配置されるようになる。これにより、例えば、リング部３０が径方向に幅狭の構成とされた場合でも、隣り合うティース部３２間に凸部３４が配置されることで、隣り合うティース部３２間の磁束が流れる磁束流路を広く構成することができる。この結果、磁束の効率的な流れを確保することが可能となる。
【００４３】
ここで、比較例と比較して本実施形態の作用効果をより明確化する。図６には、本実施形態に係る電機子２０と比較例に係る電機子との発熱状態の解析結果が示されている。図６（ａ）は、図２に示されるコア板群４２の凸部群４４の数を１２本とし、しかも、この凸部群４４が全て周方向に合致されるように積層コア２４を構成した第一の比較例に係る電機子１１０の解析結果、図６（ｂ）は、図２に示される一枚のコア板２８を一組のコア板群４２として構成し、且つ、各コア板群４２の凸部群４４が互いに周方向にずれるように積層コア２４を構成した第二の比較例に係る電機子１２０の解析結果、図６（ｃ）は、図２に示される二枚のコア板２８を一組のコア板群４２として構成し、且つ、各コア板群４２の凸部群４４が互いに周方向にずれるように積層コア２４を構成した第三の比較例に係る電機子１３０の解析結果、図６（ｄ）は、本実施形態に係る電機子２０の解析結果で、すなわち、図２に示される三枚のコア板２８を一組のコア板群４２として構成し、且つ、各コア板群４２の凸部群４４が互いに周方向にずれるように積層コア２４を構成した電機子２０の解析結果である。また、これらの解析結果では、濃淡が濃くなるほどモータ作動時の温度が高い状態を示している。
【００４４】
これらの解析結果から明らかなように、本実施形態に係る電機子２０は、他の比較例に係る電機子１１０，１２０，１３０よりもモータ作動時における冷却効果が高いことが判る。
【００４５】
次に、本発明の一実施形態に係るファンモータ１０の変形例について説明する。
【００４６】
上記実施形態では、各コア板２８に１２本ずつティース部３２が設けられ、各コア板群４２を軸方向に隣り合うコア板群４２と周方向に３６０°／１２＝３０°の角度ずれた位置で重ね合わせて積層コア２４が構成されていたが、その他にも、ティース部３２の数を任意に設定（例えば、６本や８本など）して、各コア板群４２を軸方向に隣り合うコア板群４２と周方向にずらした位置で重ね合わせて積層コア２４が構成されていても良い。
【００４７】
また、上記実施形態において、凸部３４は、その中心線がコア板２８の軸中心３６とスロット部３８の中心４０とを結ぶ仮想線Ｌと一致するように配置されていたが、凸部３４は、コア板２８の軸中心３６とスロット部３８の中心４０とを結ぶ仮想線Ｌから周方向にずらして配置されて、この仮想線Ｌ上に配置される部位を少なくとも含んで構成されていても良い。
【００４８】
また、上記実施形態では、同一形状のコア板２８を用いて積層コア２４を構成していたが、異なる形状のコア板を用いて積層コア２４を構成しても良い。
【図面の簡単な説明】
【００４９】
【図１】本発明の一実施形態に係るファンモータの側面断面図である。
【図２】本発明の一実施形態に係るファンモータに用いられた積層コアの斜視図である。
【図３】本発明の一実施形態に係る積層コアを構成するコア板の平面図である。
【図４】本発明の一実施形態に係るコア板を積層して構成された一組のコア板群の斜視図である。
【図５】本発明の一実施形態に係るファンモータに備えられたファンの裏側から見た斜視図である。
【図６】本発明の一実施形態に係るファンモータに設けられた電機子と比較例に係る電機子との発熱状態の解析結果を示す図である。
【符号の説明】
【００５０】
１０…ファンモータ、１２…ステータ、１４…ロータ、１６…制御回路、１８…ファン、２０…電機子、２２…ステータハウジング、２４…積層コア、２６…巻線、２８…コア板、３０…リング部、３２…ティース部、３４…放熱部、３６…軸中心、３８…スロット部、４０…中心、４２…コア板群、４４…凸部群（放熱部）、４６…ハウジング本体部、４８，７２…冷却孔、５０…センターピース、５２…貫通孔、５４…冷却風通路、５６…隙間、５８…軸受部材、６０…回転シャフト、６２…孔部、６４…ロータハウジング、６６…円筒部、６８…ロータマグネット、７０，８２…底部、７４…ファンボス部、７６…筒状部、７８…ブレード、８０…補助ファン、Ｌ…仮想線
【図１】
2008131802.tif 000003
【図２】
2008131802.tif 000004
【図３】
2008131802.tif 000005
【図４】
2008131802.tif 000006
【図５】
2008131802.tif 000007
【図６】
2008131802.tif 000008